(57)【要約】      （修正有）【課題】無線移動通信システムで互いに異なるバージョンのネットワークが混在し、互いに異なるサブフレームが存在する場合に、端末がデータを受信する方法を提供する。【解決手段】ＭＢＳＦＮサブフレームの設定情報を含むシステム情報を受信するステップと、ＭＢＳＦＮサブフレームでＰＤＣＣＨのモニタリングの判断に用いられる情報を含むＲＲＣメッセージを受信するステップと、ＲＲＣメッセージに基づいて、ＭＢＳＦＮサブフレームでＰＤＣＣＨに対するモニタリングを行うか否かを判断するステップと、ＭＢＳＦＮサブフレームでモニタリングを行うと判断する場合、ＭＢＳＦＮサブフレームでＰＤＣＣＨをモニタリングし、ＭＢＳＦＮサブフレームでＰＤＳＣＨをデコードするステップと、を含む。【選択図】図１
2018057033.tif 000002
【特許請求の範囲】
【請求項１】
無線通信システムにおける端末の動作方法において、
ＭＢＳＦＮ（Multimedia Broadcast multicast service Single Frequency Network）サブフレームの設定情報を含むシステム情報を受信するステップと、
ＭＢＳＦＮサブフレームでＰＤＣＣＨ（physical downlink control channel）のモニタリングの判断に用いられる情報を含むＲＲＣ（radio resource control）メッセージを受信するステップと、
前記ＲＲＣメッセージに基づいて、前記ＭＢＳＦＮサブフレームで前記ＰＤＣＣＨに対するモニタリングを行うか否かを判断するステップと、
前記ＭＢＳＦＮサブフレームでモニタリングを行うと判断する場合、前記ＭＢＳＦＮサブフレームでＰＤＣＣＨをモニタリングし、前記ＭＢＳＦＮサブフレームでＰＤＳＣＨ（physical downlink shared channel）をデコードするステップと、を含む
ことを特徴とする方法。
【請求項２】
前記情報は、前記ＭＢＳＦＮサブフレームでユニキャストデータ（unicast data）の送信をサポートするか否かを指示する
ことを特徴とする請求項１に記載の方法。
【請求項３】
一般サブフレームでＰＤＣＣＨ（physical downlink control channel）を感知し、前記一般サブフレームでＰＤＳＣＨをデコードするステップをさらに含む
ことを特徴とする請求項１に記載の方法。
【請求項４】
前記情報は、送信モード情報を含み、
前記送信モード情報が第１送信モードであれば、前記ＭＢＳＦＮサブフレームで前記ＰＤＣＣＨをモニタリングする
ことを特徴とする請求項１に記載の方法。
【請求項５】
前記送信モード情報が前記第１送信モードであれば、
前記端末が前記ＭＢＳＦＮサブフレームで前記ＰＤＳＣＨの受信をサポートする
ことを特徴とする請求項４に記載の方法。
【請求項６】
前記送信モード情報が前記第１送信モードではない場合、前記ＭＢＳＦＮサブフレームで前記ＰＤＣＣＨをモニタリングしない
ことを特徴とする請求項４に記載の方法。
【請求項７】
第２送信モードは、前記ＭＢＳＦＮサブフレームで前記ＰＤＳＣＨの受信をサポートしない
ことを特徴とする請求項４に記載の方法。
【請求項８】
前記情報は、Ｒｅｌ−１０をサポートする端末を指示し、
前記Ｒｅｌ−１０は、ＭＢＳＦＮサブフレームで前記ＰＤＳＣＨの受信をサポートする
ことを特徴とする請求項１に記載の方法。
【請求項９】
無線通信システムの端末において、
信号を送信及び受信する送受信部と、
ＭＢＳＦＮ（Multimedia Broadcast multicast service Single Frequency Network）サブフレームの設定情報を含むシステム情報を受信し、ＭＢＳＦＮサブフレームでＰＤＣＣＨ（physical downlink control channel）のモニタリングの判断に用いられる情報を含むＲＲＣ（radio resource control）メッセージを受信し、前記ＲＲＣメッセージに基づいて、前記ＭＢＳＦＮサブフレームで前記ＰＤＣＣＨに対するモニタリングを行うか否かを判断し、前記ＭＢＳＦＮサブフレームでモニタリングを行うと判断する場合、前記ＭＢＳＦＮサブフレームでＰＤＣＣＨをモニタリングし、前記ＭＢＳＦＮサブフレームでＰＤＳＣＨ（physical downlink shared channel）をデコードするように制御する制御部とを含む
ことを特徴とする端末。
【請求項１０】
前記情報は、前記ＭＢＳＦＮサブフレームでユニキャストデータ（unicast data）の送信をサポートするか否かを指示する
ことを特徴とする請求項９に記載の端末。
【請求項１１】
前記制御部は、
一般サブフレームでＰＤＣＣＨ（physical downlink control channel）を感知し、前記一般サブフレームでＰＤＳＣＨをデコードするように制御する
ことを特徴とする請求項９に記載の端末。
【請求項１２】
前記情報は、送信モード情報を含み、
前記送信モード情報が第１送信モードであれば、前記ＭＢＳＦＮサブフレームで前記ＰＤＣＣＨをモニタリングする
ことを特徴とする請求項９に記載の端末。
【請求項１３】
前記送信モード情報が前記第１送信モードであれば、
前記端末が前記ＭＢＳＦＮサブフレームで前記ＰＤＳＣＨの受信をサポートする
ことを特徴とする請求項１２に記載の端末。
【請求項１４】
前記送信モード情報が第１送信モードではない場合、前記ＭＢＳＦＮサブフレームで前記ＰＤＣＣＨをモニタリングしない
ことを特徴とする請求項１２に記載の端末。
【請求項１５】
第２送信モードは、前記ＭＢＳＦＮサブフレームで前記ＰＤＳＣＨの受信をサポートしない
ことを特徴とする請求項１２に記載の端末。
【請求項１６】
前記情報は、Ｒｅｌ−１０をサポートする端末を指示し、
前記Ｒｅｌ−１０は、ＭＢＳＦＮサブフレームで前記ＰＤＳＣＨの受信をサポートする
ことを特徴とする請求項９に記載の端末。
【発明の詳細な説明】
【技術分野】
【０００１】
本発明は、無線通信システムに関するものであり、より詳しくは、ＬＴＥ（Ｌｏｎｇ  Ｔｅｒｍ  Ｅｖｏｌｕｔｉｏｎ）システムにおいて互いに異なるバージョン（Ｒｅｌｅａｓｅ  ８、Ｒｅｌｅａｓｅ  ９、Ｒｅｌｅａｓｅ  １０など、以下「Ｒｅｌ−８、Ｒｅｌ−９、Ｒｅｌ−１０」と称する）の端末と基地局が存在するとき、上位バージョンネットワーク（Ｒｅｌ−１０）でサポートされるユニキャストが可能なＭＢＳＦＮサブフレームのある場合の上位バージョン端末（Ｒｅｌ−１０）の動作方法及び装置に関する。
【背景技術】
【０００２】
最近、無線通信技術は急激な発展を遂げており、これに伴い、通信システム技術も進化を重ねており、このうち現在第４世代の移動通信技術として脚光を浴びているシステムがＬＴＥシステムである。ＬＴＥシステムでは、データを送受信するとき、１０ｍｓｅｃの長さのフレーム単位で送受信を行い、それぞれのフレームは１０個のサブフレームからなる。
【０００３】
図１は、ＬＴＥシステムで使用される下りリンクフレームの構造を示す図面である。
図１においてフレーム１０１は、１０個のサブフレーム１０３からなり、それぞれのサブフレームは、一般的なデータ送受信のために使用される「一般的なサブフレーム１０５」と、放送のために使用される「ＭＢＳＦＮ（Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ、以下、ＭＢＳＦＮと称する）サブフレーム１０７」の形態が存在する。一般的なサブフレーム１０５とＭＢＳＦＮサブフレーム１０７との差は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、以下、ＯＦＤＭと称する）シンボルの数、サイクリックプレフィックス（Ｃｙｃｌｉｃ  ｐｒｅｆｉｘ）の長さ、セルの特定基準信号（ｃｅｌｌ−ｓｐｅｃｉｆｉｃ  ｒｅｆｅｒｅｎｃｅ  ｓｉｇｎａｌｓ、ＣＲＳ）などの構造及び数にあり、Ｒｅｌ−８、Ｒｅｌ−９システムでＭＢＳＦＮサブフレームは、ブロードキャスト或いはマルチキャストのデータを送信するなどの目的としてのみ使用されてきた。しかしながら、システムが進化してＬＴＥ  Ｒｅｌ−１０からは、ＭＢＳＦＮサブフレームがブロードキャスト或いはマルチキャストの目的だけでなく、特定の端末に対するデータ送信のユニキャストの目的でも使用が可能になった。
【０００４】
一方、ユニキャストのデータ送受信のために、ＬＴＥシステムでは、データ送受信が実際にどこで起きるかをリソース割当情報を含む物理下りリンク制御チャネル（Ｐｈｙｓｉｃａｌ  Ｄｏｗｎｌｉｎｋ  Ｃｏｎｔｒｏｌ  ＣＨａｎｎｅｌ、以下「ＰＤＣＣＨ」と称する）で知らせて、実際のデータは、物理下りリンク共有チャネル（Ｐｈｙｓｉｃａｌ  Ｄｏｗｎｌｉｎｋ  Ｓｈａｒｅｄ  ＣＨａｎｎｅｌ、以下「ＰＤＳＣＨ」と称する）で知らせる。端末は、実際のデータを受信する前にＰＤＣＣＨで前記端末に割り当てられたリソース割当情報があるか否かを判断しなければならない。
【０００５】
この場合、ＬＴＥ  Ｒｅｌ−１０端末は、ＭＢＳＦＮサブフレームに対してもＰＤＳＣＨを受信するためには、ＭＢＳＦＮサブフレームに対するリソース割当情報を含むＰＤＣＣＨを確認する手続を経なければならない。ところが、ＬＴＥ  Ｒｅｌ−１０端末がすべてのＭＢＳＦＮサブフレームでＰＤＣＣＨを確認しなければならない場合には、これは、ＭＢＳＦＮサブフレームが特定の端末に対するユニキャストのデータを送信するか、或いは、マルチキャスト／ブロードキャストのデータを送信するかに応じて、不要な動作であり得る。
【先行技術文献】
【非特許文献】
【０００６】
【非特許文献１】Samsung，Reception of unicast data over MBSFN subframes，3GPP TSG-RAN WG2#72 R2-106590，3GPP，2010.11.09
【発明の概要】
【発明が解決しようとする課題】
【０００７】
本発明は、上記のような問題点を解決するために創案されたもので、本発明の目的は、無線移動通信システムで互いに異なるバージョンのネットワークが混在し、互いに異なるサブフレームが存在する場合に端末がデータを受信する方法を提供する。
【課題を解決するための手段】
【０００８】
新バージョン（Ｒｅｌ−１０以上）端末が新バージョンネットワークにある場合、新バージョンネットワークからブロードキャスト或いはユニキャストにＭＢＳＦＮサブフレームでＰＤＳＣＨの受信がサポートされるか否かの情報を受信して、サポートされる場合には、ＭＢＳＦＮサブフレームでもＰＤＳＣＨを受信するためにＰＤＣＣＨを解釈する動作を取り、サポートされない場合には、ＭＢＳＦＮサブフレームで該当動作を行わない。
【発明の効果】
【０００９】
本発明で提案する方法を利用すれば、新バージョンネットワークで動作する新バージョン端末は、ネットワークからＭＢＳＦＮサブフレームのユニキャストのデータ送信をサポートするか否かの判定において、前記ユニキャストのデータ送信をサポートしないと判定する時、不要な端末の動作を減らして電力消耗などを減らすことができるという長所がある。
【図面の簡単な説明】
【００１０】
【図１】ＬＴＥシステムで使用される下りリンクフレームの構造を示す図面である。
【図２】本発明で提案する方案を使用する時の新バージョン端末の動作を示す図面である。
【図３】本発明を適用した端末の内部構造を示すブロック図である。
【発明を実施するための形態】
【００１１】
以下にて本発明を説明するに当たり、関連する公知機能または構成に対する具体的な説明が本発明の要旨を不必要に不明確にすると判断される場合には、その詳細な説明を省略する。以下、添付された図面を参照して本発明の実施例を説明することにする。
【００１２】
本発明では、説明の便宜のためにＬＴＥシステムを基準として説明する。
【００１３】
ＬＴＥシステムにおいては、進化段階によって様々なリリースのシステムが定義されており、そのうち旧バージョンシステムであるＲｅｌ−８、Ｒｅｌ−９システムは、ＭＢＳＦＮサブフレームでＰＤＳＣＨの受信をすることができない。したがって、これによる旧型端末は、ＭＢＳＦＮサブフレームではＰＤＳＣＨを受信するために、ＰＤＳＣＨのスケジューリング情報が含まれたＤＣＩ（Ｄｏｗｎｌｉｎｋ  Ｃｏｎｔｒｏｌ  Ｉｎｆｏｒｍａｔｉｏｎ、以下、ＤＣＩと称する）を読むためのＰＤＣＣＨを受信する動作を取らない。
【００１４】
その反面、新バージョンシステムであるＲｅｌ−１０以上のシステムでは、ＭＢＳＦＮにＰＤＳＣＨを送信することが許容されている。この場合、旧バージョン端末は、ＭＢＳＦＮサブフレームでＰＤＳＣＨの受信をすることができないので、ＭＢＳＦＮサブフレームで別途の動作を取らないが、新バージョン端末の場合には、ＭＢＳＦＮサブフレームでＰＤＳＣＨを受信するために、スケジューリング情報が含まれたＤＣＩを読むためのＰＤＣＣＨを受信する動作を取らなければならない。以下で記述される新バージョン端末とは、ＬＴＥ  Ｒｅｌ−１０の端末を意味し、これは、すなわちＭＢＳＦＮでＰＤＳＣＨを受信することができる端末を意味する。
【００１５】
図２は、本発明で提案する方案を使用する時の新バージョン端末２０１の動作を示す図面である。
【００１６】
新バージョン端末２０１は、基地局がブロードキャストに送信するシステム情報ブロック（Ｓｙｓｔｅｍ  Ｉｎｆｏｒｍａｔｉｏｎ  Ｂｌｏｃｋ）から下りリンクのフレーム構造を受信する（ステップ２０３）。下りリンクのフレーム構造は、ＭＢＳＦＮサブフレームがどのように設定されているかをビットマップの形態で送信される。
【００１７】
その後、端末は、基地局からＭＢＳＦＮサブフレームにＰＤＳＣＨの送信（ＰＤＳＣＨ  ｏｖｅｒ  ＭＢＳＦＮ  Ｓｕｂｆｒａｍｅ）がサポートされるか否かを受信する（ステップ２０５）。前記ＭＢＳＦＮサブフレームにＰＤＳＣＨの送信サポートの有無は、基地局がセル内の端末にシステム情報としてブロードキャストするか、各端末に送信する個別的な制御メッセージを通じて送信される。前記ＭＢＳＦＮサブフレームにおけるＰＤＳＣＨの送信サポートの有無に関する情報は、新しい別途の指示者情報として明示的に（Ｅｘｐｌｉｃｉｔｌｙ）無線リソース制御（Ｒａｄｉｏ  Ｒｅｓｏｕｒｃｅ  Ｃｏｎｔｒｏｌ、ＲＲＣ）メッセージに含むか、端末機に送信する既存の情報（一例：既に定義されているチャネル構成情報、送信モード情報など）とリンクさせ、暗黙的に（Ｉｍｐｌｉｃｉｔｌｙ）前記情報をＲＲＣメッセージに含む。前記ステップ２０３とステップ２０５の順序は変わってもよい。仮に、ネットワーク又は基地局が旧バージョンの場合には、前記ＭＢＳＦＮサブフレームにＰＤＳＣＨの送信サポートの有無を送信することができない。このように端末が前記ＭＢＳＦＮサブフレームにＰＤＳＣＨの送信サポートの有無を受信することが出来ない場合には、基地局がＭＢＳＦＮサブフレームにＰＤＳＣＨの送信をサポートしないと仮定する。
【００１８】
仮に、ＭＢＳＦＮサブフレームにＰＤＳＣＨの送信がサポートされる場合（ステップ２０７）、端末はステップ２０５で受信した情報に基づいてＭＢＳＦＮサブフレームでＰＤＳＣＨを受信するために、ＤＣＩ情報が含まれているＰＤＣＣＨを受信する（ステップ２０９）。
【００１９】
仮に、前記ＭＢＳＦＮサブフレームにＰＤＳＣＨの送信サポートの有無においてサポートがされない場合、或いは、前記ＭＢＳＦＮサブフレームにＰＤＳＣＨの送信サポートの有無を受信できない場合（ステップ２０７）、端末は、各ＭＢＳＦＮサブフレームでＰＤＳＣＨを受信するための動作を取る必要がない。したがって、この場合には、ＰＤＳＣＨを受信するための追加的な動作を行わない。
【００２０】
図３は、本発明を適用した端末の内部構造を示すブロック図である。
【００２１】
端末は、上位階層３０５とデータなどを送受信し、制御メッセージ処理部３０７を介して制御メッセージを送受信する。また、前記端末は、基地局に制御信号またはデータの送信時において、制御部３０９の制御により多重化装置３０３を介して多重化した後、送受信機３０１を介してデータを送信する。その反面、受信時には、端末は、制御部３０９の制御により送受信機３０１に物理信号を受信した後、逆多重化装置３０３で受信信号を逆多重化し、それぞれメッセージ情報によって上位階層３０５或いは制御メッセージ処理部３０７に伝達する。
【００２２】
本発明において端末は、基地局からブロードキャストにＭＢＳＦＮサブフレームの設定情報を受信し、ブロードキャスト或いはユニキャストにＭＢＳＦＮサブフレームでＰＤＳＣＨの送信サポートの有無を受信する。このような制御メッセージを受信した制御メッセージ処理部３０７は、各サブフレームが一般的なサブフレームであるか、ＭＢＳＦＮサブフレームであるかに関する情報と、前記ＭＢＳＦＮサブフレームにＰＤＳＣＨの送信サポートの有無を制御部３０９に知らせて、サブフレーム毎にデータの受信時、ＰＤＳＣＨの受信のためのＰＤＣＣＨ受信の有無に対して知らせる。すなわち、ＭＢＳＦＮサブフレームにＰＤＳＣＨの送信サポートをする場合には、ＭＢＳＦＮサブフレームに対してもＰＤＳＣＨの受信のための動作を行い、ＭＢＳＦＮサブフレームにＰＤＳＣＨの送信サポートをしない場合には、ＭＢＳＦＮサブフレームに対してはＰＤＳＣＨの受信のための動作を行わない。
【００２３】
上記した端末ブロック図では様々なブロックが区分され、それぞれ異なる機能を行うものと記述したが、必ずこれに限定されるものではない。言い換えれば、制御メッセージ処理部３０７が行う機能を制御部３０９が行ってもよい。
【００２４】
本発明で提案する方式を使用すれば、新バージョン端末は、ネットワークがＭＢＳＦＮサブフレームにＰＤＳＣＨの送信サポートの有無を知らせて、サポートしない場合には、不要な受信動作をしないため、電力消耗などを減らすことができる。
【００２５】
本発明の詳細な説明では具体的な実施例について説明したが、本発明の範囲から外れない範囲内で様々な変形が可能なことは当然である。したがって、本発明の範囲は説明された実施例に限定されず、後述される特許請求の範囲だけでなく、この特許請求の範囲と均等なものによって決めなければならない。
【符号の説明】
【００２６】
１０１    フレーム
１０３    サブフレーム
１０５    一般的なサブフレーム
１０７    ＭＢＳＦＮサブフレーム
３０１    送受信機
３０３    多重化および逆多重化装置
３０５    上位階層装置
３０７    制御メッセージ処理部
３０９    制御部。
【図１】
2018057033.tif 000003
【図２】
2018057033.tif 000004
【図３】
2018057033.tif 000005